(57)【要約】【課題】  周囲環境の悪化発生を防ぎ、その取り扱い性の向上を図る。【解決手段】  口部１２の上端面は、この容器１１の内部空間を塞ぐ閉塞面部１２ａにより構成されるとともに、スコア１４ａにより画成された開口部１４が形成され、キャップ１３は、天面部１５と該天面部１５の外周縁部から略垂下してなる周壁部１６とを備え、天面部１５には、貫通孔１５ａと下方に向けて突出した押下部１５ｂとが、同一の半径方向位置に周方向位置を異ならせて形成され、周壁部１６と口部１２との間には、キャップ１３の中心軸線Ｏ回りの回転移動を許容した状態で、中心軸線Ｏ方向の移動を規制する規制手段１７が設けられ、キャップ１３を中心軸線Ｏ回りに回転移動したときに、押下部１５ｂにより開口部１４が押圧されてスコア１４ａが破断され、この開口部１４が開口させられる。【選択図】  図１
2007069935.tif 000002
【特許請求の範囲】
【請求項１】
容器の口部にキャップが配設されたキャップ付き容器であって、
前記口部の上端面は、この容器の内部空間を塞ぐ閉塞面部により構成されるとともに、スコアにより画成された開口部が形成され、
前記キャップは、天面部と該天面部の外周縁部から略垂下してなる周壁部とを備え、前記天面部には、貫通孔と下方に向けて突出した押下部とが、同一の半径方向位置に周方向位置を異ならせて形成され、
前記周壁部と前記口部との間には、キャップの中心軸線回りの回転移動を許容した状態で、中心軸線方向の移動を規制する規制手段が設けられ、
前記キャップを中心軸線回りに回転移動したときに、前記押下部により前記開口部が押圧されて前記スコアが破断され、この開口部が開口させられる構成とされたことを特徴とするキャップ付き容器。
【請求項２】
請求項１記載のキャップ付き容器において、
前記開口部はこの容器の周方向に延在した傾斜面部を備え、該傾斜面部は前記延在した方向における一方の端部から他方の端部に向かうに従い漸次上方に向けた突出量が大きくされていることを特徴とするキャップ付き容器。
【請求項３】
請求項１または２に記載のキャップ付き容器において、
前記規制手段は、前記周壁部の内周面にこのキャップの径方向内方に向けて突出して形成された凸部が、前記口部の外周面にこの容器の径方向内方に向けて凹とされた凹部に係合することによって構成されていることを特徴とするキャップ付き容器。
【請求項４】
請求項３記載のキャップ付き容器において、
前記凸部の前記中心軸線方向における大きさは前記凹部よりも小さくされて、これらの凸部と凹部との間に隙間が設けられ、前記周壁部の内周面に雌ねじ部が形成されるとともに、前記口部の外周面に雄ねじ部が形成され、前記開口部を開口する前に、キャップを中心軸線回りに回転した際、前記隙間分だけこのキャップが中心軸線方向下方に向けて移動させられる構成とされたことを特徴とするキャップ付き容器。
【発明の詳細な説明】
【技術分野】
【０００１】
本発明はキャップ付き容器に関するものである。
【背景技術】
【０００２】
この種の容器には、従来から例えば飲料、粒ガム、チョコレートあるいは飴玉等の食品類が封入されて販売されており、キャップを上端面が開口した容器の口部から分離して開栓した後に再栓することができるようになっているものも提供されている。このうち、飲料を封入する容器としては、例えばポリエチレンテレフタレート等の合成樹脂により形成されたペットボトルや、アルミニウム合金やスチール等の金属により形成されたボトル缶等が提供されている（例えば下記特許文献１参照）。
【特許文献１】特開２００３−０７２７９８号公報
【発明の開示】
【発明が解決しようとする課題】
【０００３】
ところが、前記従来のキャップ付き容器では、キャップが容器から分離されて開栓されるので、開栓後、内容物が飲み干されたり、使い切られたりした後にキャップが放置されて周囲環境を悪化させるおそれがあった。特に、内容物が例えば麦酒であり再栓することなく開栓後すぐに飲み干される場合等、内容物が短時間で使い切られるものである場合には、需要者は開栓後にキャップを持ち続けたまま内容物を飲む等しなければならず、その取り扱い性を低下させる要因にもなっていた。
【０００４】
本発明は、このような事情を考慮してなされたもので、周囲環境の悪化発生を防ぎ、取り扱い性の向上されたキャップ付き容器を提供することを目的とする。
【課題を解決するための手段】
【０００５】
このような課題を解決して、前記目的を達成するために、本発明のキャップ付き容器は、容器の口部にキャップが配設されたキャップ付き容器であって、前記口部の上端面は、この容器の内部空間を塞ぐ閉塞面部により構成されるとともに、スコアにより画成された開口部が形成され、前記キャップは、天面部と該天面部の外周縁部から略垂下してなる周壁部とを備え、前記天面部には、貫通孔と下方に向けて突出した押下部とが、同一の半径方向位置に周方向位置を異ならせて形成され、前記周壁部と前記口部との間には、キャップの中心軸線回りの回転移動を許容した状態で、中心軸線方向の移動を規制する規制手段が設けられ、前記キャップを中心軸線回りに回転移動したときに、前記押下部により前記開口部が押圧されて前記スコアが破断され、この開口部が開口させられる構成とされたことを特徴とする。
【０００６】
この発明によれば、キャップの周壁部と口部との間にキャップの中心軸線方向の移動を規制する規制手段が設けられるとともに、キャップを中心軸線回りに回転移動したときに、押下部により開口部が押圧されてスコアが破断され、この開口部が開口させられるので、キャップを容器から分離することなく開口部を開口することが可能になる。したがって、周囲環境が悪化するのを防ぎ、取り扱い性の向上されたキャップ付き容器を提供することができる。
【０００７】
また、キャップの天面部に、貫通孔と下方に向けて突出した押下部とが、同一の半径方向位置に周方向位置を異ならせて形成されているので、キャップを中心軸線回りに回転し、押下部により開口部を押圧させて開口した後、さらにこのキャップを回転したときに、貫通孔が前記開口した開口部に対向することになる。したがって、本発明のようにキャップを容器から分離させない構成としても、内容物の良好な注ぎ性あるいは取り出し性は維持される。
【０００８】
なお、キャップの天面部の内面において、このキャップの周方向で貫通孔を挟んで押下部と反対側の位置に、天面部の内面からの押下部の突出量と同等若しくはそれ以上の厚さとされたライナーを設けるようにしてもよい。この場合、開栓後再栓するのに要するキャップの中心軸線回りの回転移動量を最小限に抑えることが可能になり、その取り扱い性を一層向上させることができる。
【０００９】
また、天面部の内面における貫通孔の開口周縁部にも前記と同様にライナーを配設してもよい。この場合、天面部の内面と閉塞面部の表面との間の空間と、開口部および貫通孔とをライナーにより遮断することが可能になり、内容物を容器の内部から注ぎ出す際、あるいは取り出す際に、前記空間に内容物が入り込むことを防ぐことができる。
さらに、開口部を口部の上端面に複数形成してもよい。この場合、内容物の注ぎ性あるいは取り出し性のさらなる向上を図ることができる。
【００１０】
ここで、前記開口部はこの容器の周方向に延在した傾斜面部を備え、該傾斜面部は前記延在した方向における一方の端部から他方の端部に向かうに従い漸次上方に向けた突出量が大きくされてもよい。
この場合、キャップを中心軸線方向に移動させることなく、中心軸線回りに回転させるだけで押下部により開口部を開口することができる。
【００１１】
また、前記規制手段は、前記周壁部の内周面にこのキャップの径方向内方に向けて突出して形成された凸部が、前記口部の外周面にこの容器の径方向内方に向けて凹とされた凹部に係合することによって構成されてもよい。
この場合、前記規制手段を容易かつ確実に実現することができる。
【００１２】
さらに、前記凸部の前記中心軸線方向における大きさは前記凹部よりも小さくされて、これらの凸部と凹部との間に隙間が設けられ、前記周壁部の内周面に雌ねじ部が形成されるとともに、前記口部の外周面に雄ねじ部が形成され、前記開口部を開口する前に、キャップを中心軸線回りに回転した際、前記隙間分だけこのキャップが中心軸線方向下方に向けて移動させられる構成とされてもよい。
【００１３】
この場合、キャップを中心軸線回りに回転した際、前記隙間分だけこのキャップが中心軸線方向下方に向けて移動させられるようになっているので、押下部による開口部への押圧力を高めることが可能になり、開栓性の向上を図ることができる。
【発明の効果】
【００１４】
本発明に係るキャップ付き容器によれば、周囲環境の悪化発生を防ぎ、その取り扱い性の向上を図ることができる。
【発明を実施するための最良の形態】
【００１５】
以下、図面を参照し、この発明の実施の形態について説明する。図１および図２は、この発明の第１実施形態として示したキャップ付き容器１０の概略構成を示すものであって、容器１１の口部１２にキャップ１３が配設されている。口部１２の上端面は、この容器１１の内部空間を塞ぐ閉塞面部１２ａにより構成され、この口部１２の上端面、つまり閉塞面部１２ａの表面にはスコア１４ａにより画成された開口部１４が形成されている。本実施形態の閉塞面部１２ａは、中心軸線Ｏに直交する平坦面とされている。
【００１６】
開口部１４はこの容器１１の周方向に延在した傾斜面部１４ｄを備え、該傾斜面部１４ｄは前記延在した方向における一方の端部１４ｂから他方の端部１４ｃに向かうに従い漸次上方に向けた突出量が大きくされている。本実施形態では、傾斜面部１４ｄは平面視矩形状とされるとともに、傾斜面部１４ｄの前記一方の端部１４ｂは閉塞面部１２ａの表面と面一とされている。また、開口部１４は、傾斜面部１４ｄよりも大きい傾斜で閉塞面部１２ａの表面から傾斜面部１４ｄの前記他方の端部１４ｃ側の端部および両側部に向けて立上がる立上がり壁１４ｅを備えている。これらの立上がり壁１４ｅと傾斜面部１４ｄとは稜線をなして連結されている。そして、スコア１４ａは、３つの立上がり壁１４ｅと閉塞面部１２ａとの連結部分に連続して形成されている。
【００１７】
キャップ１３は、天面部１５と該天面部１５の外周縁部から略垂下してなる周壁部１６とを備え、天面部１５には、貫通孔１５ａと下方に向けて突出した押下部１５ｂとが、同一の半径方向位置に周方向位置を異ならせて形成されている。天面部１５の内面には、貫通孔１５ａおよび押下部１５ｂの配設位置を回避した位置にライナー１５ｃが配設されてる。本実施形態では、天面部１５の内面において、貫通孔１５ａを挟んでこのキャップ１３の周方向で押下部１５ｂと反対側の位置、および貫通孔１５ａの開口周縁部に、押下部１５ｂの天面部１５の内面からの突出量と同等若しくはそれ以上の厚さとされたライナー１５ｃが配設されている。
【００１８】
周壁部１６と口部１２との間には、キャップ１３の中心軸線Ｏ回りの回転移動を許容した状態で、中心軸線Ｏ方向の移動を規制する規制手段１７が設けられ、キャップ１３を中心軸線Ｏ回りに回転移動したときに、押下部１５ｂにより開口部１４が押圧されてスコア１４ａが破断され、この開口部１４が開口させられるようになっている。本実施形態の規制手段１７は、周壁部１６の内周面にこのキャップ１３の径方向内方に向けて突出して形成された凸部１６ａが、口部１２の外周面にこの容器１１の径方向内方に向けて凹とされた凹部１２ｂに係合されることによって構成されている。本実施形態では、凸部１６ａおよび凹部１２ｂの中心軸線Ｏ方向の大きさは同等とされ、キャップ１３の中心軸線Ｏ方向の移動が規制手段１７により防止されている。
【００１９】
以上より、キャップ１３を中心軸線Ｏ方向の移動を阻止した状態で中心軸線Ｏ回りに回転移動したときに、押下部１５ｂにより開口部１４が押圧されてスコア１４ａが破断され、この開口部１４が開口させられるようになっている。この際、傾斜面部１４ｄおよび３つの立上がり壁１４ｃが容器１１の内部に位置されるように、傾斜面部１４ｄの前記一方の端部１４ｂ側の端部が折り曲げられる。また、傾斜面部１４ｄの前記一方の端部１４ｂ側の端部は閉塞面部１２ａと連結されたままとなることにより、開口部１４は閉塞面部１２ａから分離されないようになっている。
【００２０】
さらに、キャップ１３を中心軸線Ｏ回りに前述と同じ方向に回転することにより、貫通孔１５ａと開口部１４とを対向させる。この際、前述したライナー１５ｃのうち、貫通孔１５ａの開口周縁部に位置する部分が、閉塞面部１２ａの表面における開口部１４の外周縁部に当接することになる。これにより、天面部１５の内面と閉塞面部１２ａの表面との間の空間と、開口部１４および貫通孔１５ａとが、ライナー１５ｃにより遮断されるようになっている。
【００２１】
開栓後再栓する場合には、キャップ１３を前記開栓時に回転したときと同方向に回転して、前述したライナー１５ｃのうち、貫通孔１５ａを挟んでこのキャップ１３の周方向で押下部１５ｂと反対側に位置する部分を開口部１４に対向させることにより、このライナー１５ｃにより再栓させる。
【００２２】
以上説明したように、本実施形態によるキャップ付き容器１０によれば、キャップ１３の周壁部１６と口部１２との間にキャップ１３の中心軸線Ｏ方向の移動を規制する規制手段１７が設けられるとともに、キャップ１３を中心軸線Ｏ回りに回転移動したときに、押下部１５ｂにより開口部１４が押圧されてスコア１４ａが破断され、この開口部１４が開口させられるので、キャップ１３を容器１１から分離することなく開口部１４を開口することが可能になる。したがって、周囲環境が悪化するのを防ぎ、取り扱い性の向上されたキャップ付き容器１０を提供することができる。
【００２３】
また、キャップ１３の天面部１５に、貫通孔１５ａと押下部１５ｂとが、同一の半径方向位置に周方向位置を異ならせて形成されているので、キャップ１３を中心軸線Ｏ回りに回転し、押下部１５ｂにより開口部１４を押圧させて開口した後、さらにこのキャップ１３を回転したときに、貫通孔１５ａが前記開口した開口部１４に対向することになる。したがって、本実施形態のようにキャップ１３を容器１１から分離させない構成としても、内容物の良好な注ぎ性あるいは取り出し性を維持させることができる。
【００２４】
さらに、キャップ１３の天面部１５の内面において、貫通孔１５ａを挟んでこのキャップ１３の周方向で押下部１５ｂと反対側の位置に、天面部１５の内面からの押下部１５ｂの突出量と同等若しくはそれ以上の厚さとされたライナー１５ｃが設けられているので、開栓後再栓するのに要するキャップ１３の中心軸線Ｏ回りの回転移動量を最小限に抑えることが可能になり、その取り扱い性を一層向上させることができる。
【００２５】
さらにまた、天面部１５の内面における貫通孔１５ａの開口周縁部にもライナー１５ｃが位置され、天面部１５の内面と閉塞面部１２ａの表面との間の空間と、開口部１４および貫通孔１５ａとが、ライナー１５ｃにより遮断されるようになっているので、内容物を容器１１の内部から注ぎ出す際、あるいは取り出す際に、前記空間に内容物が入り込むことを防ぐことが可能になる。
【００２６】
また、開口部１４は、一方の端部１４ｂから他方の端部１４ｃに向かうに従い漸次上方に向けた突出量が大きくなるように前記周方向に延在した傾斜面部１４ｄを備えているので、キャップ１３を中心軸線Ｏ方向に移動させることなく、中心軸線Ｏ回りに回転させるだけで押下部１５ｂにより開口部１４を開口することができる。
【００２７】
また、規制手段１７は、周壁部１６の内周面にこのキャップ１３の径方向内方に向けて突出して形成された凸部１６ａが、口部１２の外周面にこの容器１１の径方向内方に向けて凹とされた凹部１２ｂに係合されることによって構成されているので、キャップ１３の中心軸線Ｏ回りの回転移動を許容した状態で、キャップ１３の中心軸線Ｏ方向の移動を規制する規制手段１７を容易かつ確実に実現することができる。
【００２８】
次に、本発明に係るキャップ付き容器の第２実施形態について図３に従い説明するが、前記実施形態との相違点のみ説明する。本実施形態のキャップ付き容器２０は、周壁部１６に形成された凸部２１の中心軸線Ｏ方向における大きさが、口部１２に形成された凹部２２よりも小さくされて、これらの凸部２１と凹部２２との間に隙間が設けられている。また、周壁部１６の内周面に雌ねじ部２３が形成されるとともに、口部１２の外周面に雄ねじ部２４が形成され、開口部１４を開口する前に、キャップ１３を中心軸線Ｏ回りに回転した際、前記隙間分だけこのキャップ１３が下方に向けて移動させられるようになっている。そして、天面部１５の内面にはライナー１５ｃは配設されていない。
【００２９】
本実施形態では、前記凸部２１はキャップ１３の開口端部に形成され、周壁部１６の内周面のうち、凸部２１よりも上方に雌ねじ部２３が形成されている。そして、図３（ａ）に示すように、開栓前においては凸部２１の上端と凹部２２の上端とが近接若しくは当接し、この状態で、キャップ１３を中心軸線Ｏ回りに回転させ、雌ねじ部２３を雄ねじ部２４に沿わせることにより、キャップ１３を図３（ｂ）に示すように下方に向けて移動させ、押下部１５ｂによって開口部１４を開口させる。
【００３０】
ここで、本実施形態では、天面部１５に形成された貫通孔２５は、天面部１５の内面における開口周縁部が、下方に向けて凸とされた筒部２５ａとされている。これにより、さらにキャップ１３を中心軸線Ｏ回りに回転させて、中心軸線Ｏ方向下方に向けて移動させるとともに、貫通孔２５の筒部２５ａを開口部１４に対向させたときに、筒部２５ａの開口端面が閉塞面部１２ａの表面における開口部１４の外周縁部と当接するようになっている。したがって、図３（ｃ）に示すように、天面部１５の内面と閉塞面部１２ａの表面との間の空間と、開口部１４および貫通孔２５とが、筒部２５ａにより遮断されるようになっている。また、これと略同時に、前記凸部２１の下端が前記凹部２２の下端に当接することによって、キャップ１３の中心軸線Ｏ方向下方に向けた移動が規制されるようになっている。
【００３１】
以上説明したように本実施形態のキャップ付き容器２０によれば、キャップ１３を中心軸線Ｏ回りに回転した際、前記隙間分だけこのキャップ１３が中心軸線Ｏ方向下方に向けて移動させられるようになっているので、押下部１５ｂによる開口部１４への押圧力を高めることが可能になり、開栓性の向上を図ることができる。
【００３２】
さらに、本実施形態では、貫通孔２５が筒部２５ａを備えているので、天面部１５の内面における貫通孔２５の開口周縁部にその全周に亙ってライナー１５ｃを配設しなくても、内容物を容器１１の内部から注ぐ際、あるいは取り出す際に、天面部１５の内面と閉塞面部１２ａの表面との間の空間と、開口部１４および貫通孔２５とを遮断することが可能になり、前記空間にこの内容物が入り込むことを防ぐことができる。
【００３３】
なお、本発明の技術的範囲は前記実施の形態に限定されるものではなく、本発明の趣旨を逸脱しない範囲において種々の変更を加えることが可能である。
例えば、前記実施形態では、開口部１４を閉塞面部１２ａに１つ形成したが、複数形成してもよい。この場合、良好な注ぎ性および取り出し性のみならず内容物が麦酒の場合には良好な泡立ち性をも実現することができる。
【００３４】
また、容器１１およびキャップ１３の材質は特に限定されるものではない。
さらに、前記実施形態では、開口部１４として、容器１１の周方向における一方の端部１４ｂから他方の端部１４ｃに向かうに従い漸次上方に向けた突出量が大きくなるように前記周方向に延在した傾斜面部１４ｄを備える構成を示したが、閉塞面部１２ａと面一となるようにしてもよい。
【００３５】
さらにまた、前記実施形態では、口部１２を容器本体と一体的に形成して容器１１を構成したが、これに代えて容器本体の開口部にこの容器本体とは別部材の口部１２を配設して容器１１を構成するようにしてもよい。
また、キャップ付き容器１０、２０に封入する内容物は、飲料等の液体に限らず、例えば粒ガム、チョコレート、ゴマあるいは飴玉等の固形物質であってもよい。
【産業上の利用可能性】
【００３６】
周囲環境の悪化発生を防ぎ、その取り扱い性の向上を図ることができる。
【図面の簡単な説明】
【００３７】
【図１】本発明の第１実施形態として示したキャップ付き容器において、キャップを上方に移動させて口部から離間させたときの一部破断斜視図である。
【図２】図１に示すキャップ付き容器において、キャップを口部に配設した状態を示す断面図である。
【図３】本発明の第２実施形態として示したキャップ付き容器の一部断面図である。
【符号の説明】
【００３８】
１０、２０  キャップ付き容器
１１  容器
１２  口部
１２ａ  閉塞面部
１２ｂ、２２  凹部
１３  キャップ
１４  開口部
１４ａ  スコア
１４ｂ  一方の端部
１４ｃ  他方の端部
１４ｄ  傾斜面部
１５  天面部
１５ａ、２５  貫通孔
１５ｂ  押下部
１６  周壁部
１６ａ、２１  凸部
１７  規制手段
２３  雌ねじ部
２４  雄ねじ部
Ｏ  中心軸線
【図１】
2007069935.tif 000003
【図２】
2007069935.tif 000004
【図３】
2007069935.tif 000005